【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
マルチタッチによる指示を受け付け可能な画面を備える情報処理装置であって、
前記画面に表示されているオブジェクトに対してドラッグ＆ドロップの操作を受け付けることで、前記オブジェクトを移動する移動手段と、
ページを変更する操作を受け付けた場合に、前記画面で表示するページを変更するページ変更手段と
を有し、
前記移動手段は、第１のページのオブジェクトに対してドラッグ操作が行われている間に前記ページ変更手段により前記画面で表示するページを前記第１のページから第２のページに変更する操作を受け付け、更に前記第２のページに前記オブジェクトをドロップする操作を受け付けた場合に、前記オブジェクトを前記第１のページから前記第２のページに移動することを特徴とする情報処理装置。
【請求項２】
前記画面にて表示されているページをスクロールする操作を受け付けた場合に、前記画面で表示しているページの表示領域をスクロールさせるスクロール手段を更に有し、
前記移動手段は、前記オブジェクトに対してドラッグ操作が行われている間に前記スクロール手段により前記画面にて表示しているページをスクロールする操作を受け付け、更に前記オブジェクトをドロップする操作を受け付けた場合に、前記オブジェクトを前記ドロップする操作を受け付けた位置に移動することを特徴とする請求項１に記載の情報処理装置。
【請求項３】
前記オブジェクトに対してドラッグ操作が行われている間に受け付けた指示が、表示内容の更新の指示か、前記オブジェクトの編集に関する指示かを判定する判定手段と、
前記判定手段にて前記オブジェクトの編集に関する指示と判定された場合に、当該オブジェクトに対し、前記編集に関する指示に従って編集を行う編集手段と
を更に有することを特徴とする請求項１または２に記載の情報処理装置。
【請求項４】
前記判定手段は、前記画面において指示の入力の開始点が、前記オブジェクトを示す領域に含まれていない場合、前記表示内容の更新の指示であると判定することを特徴とする請求項３に記載の情報処理装置。
【請求項５】
前記オブジェクトの編集に関する指示は、前記オブジェクトのサイズの変更の指示であることを特徴とする請求項３または４に記載の情報処理装置。
【請求項６】
前記オブジェクトに対してドラッグ操作が行われた際に、前記画面に指示物体が接触している接触領域の情報を取得する取得手段と、
前記接触領域のサイズと前記オブジェクトのサイズとを比較し、いずれのサイズが大きいかを判定するサイズ判定手段と、
前記サイズ判定手段にて前記接触領域のサイズの方が大きいと判定された場合、前記オブジェクトに対してドラッグ操作が行われている間、前記接触領域よりも大きくなるように前記オブジェクトを表示させる制御手段と
を更に有することを特徴とする請求項１乃至５のいずれか一項に記載の情報処理装置。
【請求項７】
マルチタッチによる指示を受け付け可能な画面を備える情報処理装置の制御方法であって、
前記画面に表示されているオブジェクトに対してドラッグ＆ドロップの操作を受け付けることで、前記オブジェクトを移動する移動工程と、
ページを変更する操作を受け付けた場合に、前記画面で表示するページを変更するページ変更工程と
を有し、
前記移動工程において、第１のページのオブジェクトに対してドラッグ操作が行われている間に前記ページ変更工程にて前記画面で表示するページを前記第１のページから第２のページに変更する操作を受け付け、更に前記第２のページに前記オブジェクトをドロップする操作を受け付けた場合に、前記オブジェクトを前記第１のページから前記第２のページに移動させることを特徴とする制御方法。
【請求項８】
マルチタッチによる指示を受け付け可能な画面を備えるコンピュータに、
前記画面に表示されているオブジェクトに対してドラッグ＆ドロップの操作を受け付けることで、前記オブジェクトを移動する移動工程と、
ページを変更する操作を受け付けた場合に、前記画面で表示するページを変更するページ変更工程と
を実行させ、
前記移動工程において、第１のページのオブジェクトに対してドラッグ操作が行われている間に前記ページ変更工程にて前記画面で表示するページを前記第１のページから第２のページに変更する操作を受け付け、更に前記第２のページに前記オブジェクトをドロップする操作を受け付けた場合に、前記オブジェクトを前記第１のページから前記第２のページに移動させることを特徴とするプログラム。
【請求項９】
前記画面にて表示されているページをスクロールする操作を受け付けた場合に、前記画面で表示しているページの表示領域をスクロールさせるスクロール工程を更に有し、
前記移動工程において、前記オブジェクトに対してドラッグ操作が行われている間に前記スクロール工程にて前記画面にて表示しているページをスクロールする操作を受け付け、更に前記オブジェクトをドロップする操作を受け付けた場合に、前記オブジェクトを前記ドロップする操作を受け付けた位置に移動させることを特徴とする請求項８に記載のプログラム。
【請求項１０】
前記オブジェクトに対してドラッグ操作が行われている間に受け付けた指示が、表示内容の更新の指示か、前記オブジェクトの編集に関する指示かを判定する判定工程と、
前記判定工程にて前記オブジェクトの編集に関する指示と判定された場合に、当該オブジェクトに対し、前記編集に関する指示に従って編集を行う編集工程と
を更に実行させることを特徴とする請求項８または９に記載のプログラム。
【請求項１１】
前記判定工程にて、前記画面において指示の入力の開始点が、前記オブジェクトを示す領域に含まれていない場合、前記表示内容の更新の指示であると判定することを特徴とする請求項１０に記載のプログラム。
【請求項１２】
前記オブジェクトの編集に関する指示は、前記オブジェクトのサイズの変更の指示であることを特徴とする請求項１０または１１に記載のプログラム。
【請求項１３】
前記オブジェクトに対してドラッグ操作が行われた際に、前記画面に指示物体が接触している接触領域の情報を取得する取得工程と、
前記接触領域のサイズと前記オブジェクトのサイズとを比較し、いずれのサイズが大きいかを判定するサイズ判定工程と、
前記サイズ判定工程にて前記接触領域のサイズの方が大きいと判定された場合、前記オブジェクトに対してドラッグ操作が行われている間、前記接触領域よりも大きくなるように前記オブジェクトを表示させる制御工程と
を更に実行させることを特徴とする請求項８乃至１２のいずれか一項に記載のプログラム。
【手続補正２】
【補正対象書類名】明細書
【補正対象項目名】０００７
【補正方法】変更
【補正の内容】
【０００７】
上記課題を解決するために本願発明は以下の構成を有する。すなわち、マルチタッチによる指示を受け付け可能な画面を備える情報処理装置であって、前記画面に表示されているオブジェクトに対してドラッグ＆ドロップの操作を受け付けることで、前記オブジェクトを移動する移動手段と、ページを変更する操作を受け付けた場合に、前記画面で表示するページを変更するページ変更手段とを有し、前記移動手段は、第１のページのオブジェクトに対してドラッグ操作が行われている間に前記ページ変更手段により前記画面で表示するページを前記第１のページから第２のページに変更する操作を受け付け、更に前記第２のページに前記オブジェクトをドロップする操作を受け付けた場合に、前記オブジェクトを前記第１のページから前記第２のページに移動する。